(57)【要約】【課題】隣接する放電セルの間の発光干渉を防止することが可能なプラズマディスプレイを提供すること。【解決手段】相互対向するように配置される第１基板及び第２基板と、第１基板と第２基板との間に複数の放電セルを区画するように配置される隔壁と、第１基板上に一方向に延設して配置されるものであって、放電セルのうち異なる色を発光する放電セルの並びに対して直行する方向に配置される維持電極対と、維持電極対と交差して配置されるアドレス電極と、維持電極対を覆うように形成される第１誘電体層と、アドレス電極を覆うように形成される第２誘電体層と、放電セル内に形成される蛍光体層と、それぞれの放電セルを取り囲むように第１基板と第２基板との間に配置される遮断壁と、を備えるプラズマディスプレイパネルを備える。【選択図】図２
2007184266.tif 000002
【特許請求の範囲】
【請求項１】
相互対向するように配置される第１基板及び第２基板と；
前記第１基板と前記第２基板との間に、複数の放電セルを区画するように配置される隔壁と；
前記第１基板上に一方向に延設して配置される維持電極対と；
前記維持電極対と交差するように配置されるアドレス電極と；
前記維持電極対を覆うように形成される第１誘電体層と；
前記アドレス電極を覆うように形成される第２誘電体層と；
前記放電セル内に形成される蛍光体層と；
それぞれの前記放電セルを取り囲むように前記第１基板と第２基板との間に配置される遮断壁と；
を備えることを特徴とするプラズマディスプレイパネル。
【請求項２】
前記遮断壁は、前記第１基板と前記隔壁との間に配置されることを特徴とする、請求項１に記載のプラズマディスプレイパネル。
【請求項３】
前記遮断壁は、前記第１誘電体層と同じ層に形成されることを特徴とする、請求項１または２に記載のプラズマディスプレイパネル。
【請求項４】
前記第１誘電体層の前記第２基板に対向する面を覆うことによって前記第１誘電体層を保護する保護層をさらに備え、
前記遮断壁は、前記第１誘電体層及び前記保護層からなる層と同じ層に形成されることを特徴とする、請求項１または２に記載のプラズマディスプレイパネル。
【請求項５】
前記遮断壁は、黒色であることを特徴とする、請求項１〜４のいずれかに記載のプラズマディスプレイパネル。
【請求項６】
前記遮断壁は、前記第１誘電体層と同じ材質に黒色顔料が追加されて形成されることを特徴とする、請求項１〜５のいずれかに記載のプラズマディスプレイパネル。
【請求項７】
前記遮断壁の反射率は、６０％以下であることを特徴とする、請求項１〜６のいずれかに記載のプラズマディスプレイパネル。
【請求項８】
相互対向するように配置される第１基板及び第２基板と；
前記第１基板と第２基板との間に複数の放電セルを区画するように配置される隔壁と；
前記第１基板上に一方向に延設して配置される維持電極対と；
前記維持電極対と交差するように配置されるアドレス電極と；
前記維持電極対を覆うように形成される第１誘電体層と；
前記アドレス電極を覆うように形成される第２誘電体層と；
前記放電セル内に形成される蛍光体層と；
前記蛍光体層から放射される可視光が赤色、緑色、及び青色である放電セルが相互隣接するように配置されて一つのピクセルを形成し、それぞれの前記ピクセルを取り囲むように、前記第１基板と第２基板との間に配置される遮断壁と；
を備えることを特徴とするプラズマディスプレイパネル。
【請求項９】
前記遮断壁は、前記第１基板と前記隔壁との間に配置されることを特徴とする、請求項８に記載のプラズマディスプレイパネル。
【請求項１０】
前記遮断壁は、前記第１誘電体層と同じ層に形成されることを特徴とする、請求項８または９に記載のプラズマディスプレイパネル。
【請求項１１】
前記第１誘電体層の前記第２基板に対向する面を覆うことによって前記第１誘電体層を保護する保護層をさらに備え、
前記遮断壁は、前記第１誘電体層及び前記保護層からなる層と同じ層に形成されることを特徴とする請求項８または９に記載のプラズマディスプレイパネル。
【請求項１２】
前記遮断壁は、黒色であることを特徴とする、請求項８〜１１のいずれかに記載のプラズマディスプレイパネル。
【請求項１３】
前記遮断壁は、前記第１誘電体層と同じ材質に黒色顔料が追加されて形成されることを特徴とする、請求項８〜１２のいずれかに記載のプラズマディスプレイパネル。
【請求項１４】
前記遮断壁の反射率は、６０％以下であることを特徴とする、請求項８〜１３のいずれかに記載のプラズマディスプレイパネル。
【発明の詳細な説明】
【技術分野】
【０００１】
本発明は、プラズマディスプレイパネル（Ｐｌａｓｍａ  Ｄｉｓｐｌａｙ  Ｐａｎｎｅｌ：ＰＤＰ）に関し、さらに詳細には、それぞれの放電セルの間に遮蔽膜を形成して、隣接する放電セルの間の発光干渉を防止しうるＰＤＰに関する。
【背景技術】
【０００２】
最近、従来の陰極線管ディスプレイ装置を代替するものとして注目されているＰＤＰは、複数の電極が形成された二つの基板の間に放電ガスが封じ込まれた後に放電電圧が加えられ、これによって発生する紫外線により所定のパターンで形成された蛍光体が励起されて、所望の画像を得る装置である。
【０００３】
図１は、一般的なＰＤＰの分離斜視図である。
【０００４】
図１に示すように、通常の交流型ＰＤＰ１０は、ユーザに画像を表示する上板５０と、これと平行に結合される下板６０とを備える。上板５０の前面基板１１には、Ｘ電極３１及びＹ電極３２が対をなす維持電極対１２が配置される。前面基板１１の維持電極対１２が配置された面に対向する下板６０の背面基板２１には、アドレス電極２２が前面基板１１の電極３１、３２と交差するように配置される。
【０００５】
上記維持電極対１２が備えられた前面基板１１と、アドレス電極２２が備えられた背面基板２１との各面には、各電極を埋め込むようにそれぞれ第１誘電体層１５及び第２誘電体層２５が形成される。第１誘電体層１５背面には、通常、ＭｇＯからなる保護層１６が形成され、第２誘電体層２５の前面には、放電距離を維持し、放電セル間の電気的・光学的クロストークを防止する隔壁３０が形成される。
【０００６】
上記隔壁３０の両側面と、隔壁３０が形成されていない第２誘電体層２５の前面には、赤色、緑色、青色の発光蛍光体２６が塗布される。
【０００７】
Ｘ電極３１及びＹ電極３２のそれぞれは、透明電極３１ａ、３２ａ及びバス電極３１ｂ、３２ｂを備える。このように配置された一対のＸ電極３１及びＹ電極３２と、これと交差するアドレス電極２２とによって形成される空間が、単位放電セル７０として一つの放電部を形成する。透明電極３１ａ、３２ａは、放電を起こしうる導電体であり、かつ蛍光体層２６から放出される光が前面基板１１に進むことを妨害しない透明な材料から形成される。このように透明な材料としては、ＩＴＯ（Ｉｎｄｉｕｍ  Ｔｉｎ Ｏｘｉｄｅ）がある。
【０００８】
このとき、上記それぞれの放電セル７０の内部での放電、及びそれによって蛍光体層２６から放出される光が隣接セルの発光に影響を与えうる。また、それによって隣接する放電セルの相互間に発光干渉が発生し、発光セルでの放電が非発光セルに影響を与えうるという問題点がある。
【０００９】
また、隣接セルの間の発光干渉によって、それぞれの放電セルでの放電による表示画像の鮮明度が低下するという問題点がある。
【００１０】
【特許文献１】大韓民国公開特許公報  ２００５−０１１３５１９号明細書
【特許文献２】大韓民国公開特許公報  ２００６−００２７０５０号明細書
【発明の開示】
【発明が解決しようとする課題】
【００１１】
このように、従来のプラズマディスプレイパネルによれば、蛍光体層から放出される光が隣接セルの発光に影響を与え、発光干渉が発生し、表示画像の鮮明度が低下するという問題がある。
【００１２】
そこで、本発明は、このような問題に鑑みてなされたもので、その目的は、それぞれの放電セルの間に遮蔽膜を形成して、隣接する放電セルの間の発光干渉を防止することが可能な、新規かつ改良されたプラズマディスプレイパネルを提供することにある。
【課題を解決するための手段】
【００１３】
上記課題を解決するために、本発明のある観点によれば、相互対向するように配置される第１基板及び第２基板と；上記第１基板と上記第２基板との間に、複数の放電セルを区画するように配置される隔壁と；上記第１基板上に一方向に延設して配置されるものであって、上記放電セルのうち異なる色を発光する放電セルの並びに対して横切って伸びる方向に配置される維持電極対と；上記維持電極対と交差するように配置されるアドレス電極と；上記維持電極対を覆うように形成される第１誘電体層と；上記アドレス電極を覆うように形成される第２誘電体層と；上記放電セル内に形成される蛍光体層と；それぞれの上記放電セルを取り囲むように上記第１基板と第２基板との間に配置される遮断壁と；を備えることを特徴とするプラズマディスプレイパネルが提供される。
【００１４】
また、上記遮断壁は、上記第１基板と上記隔壁との間に配置されてもよい。
【００１５】
また、上記遮断壁は、上記第１誘電体層と同じ層に形成されてもよい。
【００１６】
また、上記第１誘電体層の上記第２基板に対向する面を覆うことによって上記第１誘電体層を保護する保護層をさらに備えてもよく、上記遮断壁は、上記第１誘電体層及び上記保護層からなる層と同じ層に形成されてもよい。
【００１７】
また、上記遮断壁は、黒色であってもよい。
【００１８】
また、上記遮断壁は、上記第１誘電体層と同じ材質に黒色顔料が追加されて形成されてもよい。
【００１９】
また、上記遮断壁の反射率は、６０％以下であってもよい。
【００２０】
上記課題を解決するために、本発明の別の観点によれば、相互対向するように配置される第１基板及び第２基板と；上記第１基板と上記第２基板との間に複数の放電セルを区画するように配置される隔壁と；上記第１基板上に一方向に延設して配置されるものであって、上記放電セルのうち異なる色を発光する放電セルの並びに対して横切って伸びる方向に配置される維持電極対と；上記維持電極対と交差するように配置されるアドレス電極と；上記維持電極対を覆うように形成される第１誘電体層と；上記アドレス電極を覆うように形成される第２誘電体層と；上記放電セル内に形成される蛍光体層と；上記蛍光体層から放射される可視光は、赤色、緑色、及び青色である放電セルが相互隣接するように上記放電セルが配置されて一つのピクセルを形成し、それぞれの上記ピクセルを取り囲むように、上記第１基板と第２基板との間に配置される遮断壁と；を備えることを特徴とするプラズマディスプレイパネルが提供される。
【００２１】
また、上記遮断壁は、上記第１基板と上記隔壁との間に配置されてもよい。
【００２２】
また、上記遮断壁は、上記第１誘電体層と同じ層に形成されてもよい。
【００２３】
また、上記第１誘電体層の上記第２基板に対向する面を覆うことによって上記第１誘電体層を保護する保護層をさらに備えてもよく、上記遮断壁は、上記第１誘電体層及び上記保護層からなる層と同じ層に形成されてもよい。
【００２４】
また、上記遮断壁は、黒色であってもよい。
【００２５】
また、上記遮断壁は、上記第１誘電体層と同じ材質に黒色顔料が追加されて形成されてもよい。
【００２６】
また、上記遮断壁の反射率は、６０％以下であってもよい。
【発明の効果】
【００２７】
以上説明したように、本発明によれば、それぞれの放電セルの間に遮蔽膜を形成して、隣接する放電セル間の発光干渉を防止し、発光セルと非発光セルとの区分を明確にして、表示される画像の鮮明度を向上することができる。
【発明を実施するための最良の形態】
【００２８】
以下に、添付した図面を参照しながら、本発明の好適な実施の形態について詳細に説明する。なお、本明細書及び図面において、実質的に同一の機能構成を有する発明特定事項については、同一の符号を付することにより重複説明を省略する。
【００２９】
図２は、本発明の第１の実施形態であって、ＰＤＰを概略的に示す分離斜視図である。そして、部分的に切開して概略を示すようになっている。図３は、図２のＰＤＰにおいて、ＩＩＩ−ＩＩＩ線による断面図である。図４は、図２のＰＤＰにおいて、第２基板上に維持電極対及び遮断壁が配置される様子を概略的に示す図面である。
【００３０】
図２を参照すれば、本発明の第１の実施形態に係る交流型ＰＤＰ１００が図示されている。本発明に係るＰＤＰ１００は、第１基板１１１、第２基板１２１、維持電極対１３１、１３２、アドレス電極１２２、隔壁１３０、保護層１１６、蛍光体層１２３（１２３Ｒ、１２３Ｇ、１２３Ｂ）、第１誘電体層１１５、第２誘電体層１２５、放電ガス（図示せず。）、及び遮断壁１８０を備える。また、隔壁１３０は、横隔壁１３０ｂと縦隔壁１３０ａを備える。
【００３１】
このとき、上記第１基板１１１は、前面基板となり、上記第２基板１２１は、背面基板となり、上記第１誘電体層１１５は、前面誘電体層となり、上記第２誘電体層１２５は、背面誘電体層となりうる。
【００３２】
前面基板１１１及び背面基板１２１は、相互所定間隔離隔されて配置され、それらの間に放電が発生する放電空間を限定する。このような前面基板１１１及び背面基板１２１は、可視光透過率に優れたガラスを利用して形成されることが望ましい。しかし、明室コントラストの向上のために、前面基板１１１及び／または背面基板１２１が着色されてもよい。
【００３３】
前面基板１１１と背面基板１２１との間には隔壁１３０が配置されるが、工程によって、隔壁１３０は、背面誘電体層１２５上に配置されうる。このような隔壁１３０は、放電空間を複数の放電セル１７０（１７０Ｒ、１７０Ｇ、１７０Ｂ）に区画し、放電セル１７０Ｒ、１７０Ｇ、１７０Ｂの間の光学的／電気的クロストークを防止する機能を行う。図２には、隔壁１３０が四角形の横断面を有するマトリックス配列の放電セルを区画すると図示されているが、これに限定されない。すなわち、隔壁１３０は、放電セル１７０Ｒ、１７０Ｇ、１７０Ｂが、三角形、五角形などの多角形、または円形、楕円形などの横断面を有するように形成されてもよく、ストライプのような開放型に形成されてもよい。また、隔壁１３０は、放電セル１７０Ｒ、１７０Ｇ、１７０Ｂをワッフルやデルタ配列に区画してもよい。
【００３４】
背面基板１２１に対向する前面基板１１１上には、維持電極対１３１、１３２が配置されている。それぞれの維持電極対は、維持放電を起こすために、前面基板１１１の背面に形成された一対の維持電極１３１、１３２を意味し、前面基板１１１上には、このような維持電極対が所定間隔に平行に配列されている。
【００３５】
維持電極対のうち一つの維持電極は、Ｘ電極１３１であって共通電極の作用を行い、他の維持電極は、Ｙ電極１３２であって走査電極の作用を行う。言い換えればＸ電極１３１は共通電極として動作し、Ｙ電極１３２は、走査電極として動作する。本実施形態では、維持電極対が前面基板１１１上に配置されるが、維持電極対の配置位置はこれに限定されない。例えば、維持電極対は、前面基板１１１から背面基板１２１に向う方向に所定間隔離隔されて配置されうる。
【００３６】
Ｘ電極１３１及びＹ電極１３２のそれぞれは、透明電極１３１ａ、１３２ａ及びバス電極１３１ｂ、１３２ｂを備えている。透明電極１３１ａ、１３２ａは、放電を起こしうる導電体であり、かつ蛍光体１２３Ｒ、１２３Ｇ、１２３Ｂから放出される光が前面基板１１１に進むことを妨害しない透明な材料から形成されるが、このような材料としては、ＩＴＯがある。
【００３７】
しかし、上記ＩＴＯのような透明な導電体は、一般的にその抵抗が大きく、したがって、透明電極からのみ維持電極を形成すれば、その長手方向への電圧降下が大きいため、多量の駆動電力が消費され、応答速度が遅くなるところ、それを改善するために、上記透明電極上には、金属材質からなり、かつ狭幅に形成されるバス電極１３１ｂ、１３２ｂが配置される。バス電極は、Ａｇ、ＡｌまたはＣｕのような金属を利用して単層構造に形成されうるが、Ｃｒ／Ａｌ／Ｃｒなどの多層構造に形成されてもよい。このような透明電極及びバス電極は、フォトエッチング法、フォトリソグラフィ法を利用して形成する。
【００３８】
Ｘ電極１３１及びＹ電極１３２の形状及び配置を詳細に説明すれば、バス電極１３１ｂ、１３２ｂは、単位放電セル１７０Ｒ、１７０Ｇ、１７０Ｂにおいて所定間隔離隔されて平行に配置され、放電セル１７０Ｒ、１７０Ｇ、１７０Ｂを横切って延びる。前述したように、各バス電極１３１ｂ、１３２ｂには、透明電極１３１ａ、１３２ａが電気的に接続されるが、四角形の透明電極１３１ａ、１３２ａは、単位放電セル１７０Ｒ、１７０Ｇ、１７０Ｂごとに不連続的に配置されうる。このような透明電極１３１ａ、１３２ａの一側は、バス電極１３１ｂ、１３２ｂに連結され、他側は、放電セル１７０Ｒ、１７０Ｇ、１７０Ｂの中心方向に向うように配置される。
【００３９】
前面基板１１１上には、維持電極対１１２を埋め込むように前面誘電体層１１５が形成されている。前面誘電体層１１５は、隣接したＸ電極１３１及びＹ電極１３２が相互通電されることを防止すると同時に、荷電粒子または電子がＸ電極１３１及びＹ電極１３２に直接的に衝突してＸ電極１３１及びＹ電極１３２を損傷させることを防止する。また、前面誘電体層１１５は、電荷を誘導する機能を行う。このような前面誘電体層１１５は、ＰｂＯ、Ｂ２Ｏ３、ＳｉＯ２などを利用して形成される。
【００４０】
また、ＰＤＰ１００は、前面誘電体層１１５を覆う保護層１１６をさらに備えることが望ましい。保護層１１６は、放電時に荷電粒子及び電子が前面誘電体層１１５に衝突して、前面誘電体層１１５が損傷されることを防止する。
【００４１】
また、保護層１１６は、放電時に２次電子を多量放出して、プラズマ放電を円滑にする。このような機能を行う保護層１１６は、２次電子放出計数が高く、可視光透過率の高い物質を利用して形成する。保護層１１６は、前面誘電体層１１５が形成された後に、主にスパッタリング、電子ビーム蒸着法で薄膜に形成される。
【００４２】
前面基板１１１に対向する背面基板１２１上には、アドレス電極１２２が配置されている。アドレス電極１２２は、Ｘ電極１３１及びＹ電極１３２と交差するように放電セル１７０Ｒ、１７０Ｇ、１７０Ｂを横切って延びる。
【００４３】
アドレス電極１２２は、Ｘ電極１３１とＹ電極１３２との間の維持放電をさらに容易にするためのアドレス放電を起こすものであって、さらに具体的には、維持放電が発生するための電圧を下げる役割を行う。アドレス放電は、Ｙ電極１３２とアドレス電極１２２との間に発生する放電であって、アドレス放電が終了すれば、Ｙ電極１３２側及びＸ電極１３１側に壁電荷が蓄積され、これにより、Ｘ電極１３１とＹ電極１３２との間の維持放電がさらに容易になる。
【００４４】
このように配置された一対のＸ電極１３１及びＹ電極１３２と、これと交差するアドレス電極１２２とによって形成される空間が単位放電セル１７０Ｒ、１７０Ｇ、１７０Ｂを形成する。
【００４５】
背面基板１２１上には、アドレス電極１２２を埋め込むように背面誘電体層１２５が形成されている。背面誘電体層１２５は、放電時に荷電粒子または電子がアドレス電極１２２に衝突してアドレス電極１２２を損傷させることを防止しつつも、電荷を誘導できる誘電体として形成されるが、これのような誘電体としては、ＰｂＯ、Ｂ２Ｏ３、ＳｉＯ２などがある。
【００４６】
背面誘電体層１２５上に形成された隔壁１３０の両側面と、隔壁１３０が形成されていない背面誘電体層１２５の前面とには、赤色、緑色、青色発光の蛍光体層１２３Ｒ、１２３Ｇ、１２３Ｂが配置されている。上記蛍光体層は、紫外線を受けて可視光線を発生させる成分を有するが、赤色発光放電セルに形成された蛍光体層は、Ｙ（Ｖ、Ｐ）Ｏ４：Ｅｕのような蛍光体を備え、緑色発光放電セルに形成された蛍光体層は、Ｚｎ２ＳｉＯ４：Ｍｎ、ＹＢＯ３：Ｔｂのような蛍光体を備え、青色発光放電セルに形成された蛍光体層は、ＢＡＭ：Ｅｕのような蛍光体を備える。
【００４７】
また、上記放電セル１７０Ｒ、１７０Ｇ、１７０Ｂには、ネオン（Ｎｅ）、キセノン（Ｘｅ）などが混合された放電ガスが充填され、上記のように放電ガスが充填された状態で、前面基板１１１及び背面基板１２１のエッジに形成されたフリットガラスのような密封部材により前面基板１１１及び背面基板１２１が相互封着される。
【００４８】
維持放電時に励起された放電ガスのエネルギー準位が低まりつつ紫外線が放出される。そして、この紫外線が放電セル１７０Ｒ、１７０Ｇ、１７０Ｂ内に塗布された蛍光体を励起させるが、この励起された蛍光体１２３Ｒ、１２３Ｇ、１２３Ｂのエネルギー準位が低まりつつ可視光が放出され、この可視光が、前面誘電層１１５及び前面基板１１１を透過して出射されつつ、ユーザが認識できる画像を形成する。
【００４９】
上記遮断壁１８０は、それぞれの上記放電セル１７０Ｒ、１７０Ｇ、１７０Ｂを取り囲むように上記前面基板１１１と背面基板１２１との間に配置されて、隣接する放電セル間の発光干渉を防止しうる。上記遮断壁１８０は、前面基板１１１と隔壁１３０との間に配置されうるが、望ましくは、上記前面誘電体層１１５のような層に形成されることが望ましい。
【００５０】
ただし、図２には図示されていないが、上記遮断壁１８０が、上記前面誘電体層１１５及び保護層１１６によって形成される層と同じ層に形成され、これにより、隣接する放電セルの間の発光干渉をさらに効果的に防止させる。
【００５１】
また、上記遮断壁１８０は、隣接する放電セルの間の発光干渉を効果的に防止しつつ、明室コントラスト比を向上させるように黒色であることが望ましい。そのために、上記遮断壁１８０は、上記前面誘電体層１１１のような材質に黒色顔料が追加されて形成されうる。この場合、反射率が６０％以下であることが望ましい。
【００５２】
また、他の実施形態として、上記遮断壁１８０が隣接する放電セルの間の発光干渉を効果的に防止しつつ、上記前面基板を通じて放出される光の輝度を向上させるように、明るい色からなりうる。そのために、上記遮断壁の反射率の高い物質からなりうる。
【００５３】
ＰＤＰ１００がこのような遮断壁１８０を備えることによって、発光セルと非発光セルとを区分して相互干渉を防止し、発光セルの可視光線が散乱されて隣接セルへ移動することを防止する。そのために、遮断壁１８０が発光セルの周りを全て遮断するように形成されることが望ましい。
【００５４】
図２〜図４では、上記蛍光体層１２３Ｒ、１２３Ｇ、１２３Ｂのそれぞれから放射される可視光が、赤色、緑色、及び青色である赤色、緑色、及び青色放電セル１７０Ｒ、１７０Ｇ、１７０Ｂが相互隣接するように、上記放電セルが配置されて一つのピクセルを形成するが、上記遮断壁１８０は、上記放電セルをピクセル単位で取り囲むように配置される実施形態を図示している。
【００５５】
すなわち、ピクセル単位で発光ピクセルと非発光ピクセルとを区分して、相互干渉を防止し、発光ピクセルの可視光線が散乱されて隣接非発光ピクセルへ移動することを防止する。そのために、遮断壁１８０がピクセル単位で放電セルの周りを全て遮断するように形成されることが望ましい。
【００５６】
一つの画素を形成するピクセル単位で遮断壁１８０を形成して、赤色、緑色、及び青色の組合わせによってそれぞれの画素が表現されるＰＤＰの特性を反映して、本発明の目的を十分に達成しつつも、設置される遮断壁１８０の数を最少化しうる。
【００５７】
また、図４の遮断壁１８０が第１誘電体層１１５と同じ層に形成されるのに対して、図５に遮断壁１８０‘が第１誘電体層１１５及び保護層１１６と同じ層に形成された実施形態を示す。同じ機能を行う同じ構成要素に対しては類似した参照番号を使用し、それらについての詳細な説明は省略する。
【００５８】
図６は、本発明に係る第２の実施形態であって、ＰＤＰを概略的に示す分離斜視図である。そして、部分的に切開して概略を示すようになっている。図７は、図６のＰＤＰにおいて、ＶＩ−ＶＩ線による断面図である。図８は、図６のＰＤＰにおいて、第２基板上に維持電極対及び遮断壁が配置されることを概略的に示す図面である。
【００５９】
図６を参照すれば、本発明の第２実施形態に係る交流型ＰＤＰ２００が図示されている。本実施形態に係るＰＤＰ２００は、第１基板２１１、第２基板２２１、維持電極対２３１、２３２、アドレス電極２２２、隔壁２３０、保護層２１６、蛍光体層２２３Ｒ、２２３Ｇ、２２３Ｂ、第１誘電体層２１５、第２誘電体層２２５、放電ガス（図示せず。）、及び遮断壁２８０を備える。
【００６０】
このとき、上記第１基板２１１は、前面基板となり、上記第２基板２２１は、背面基板となり、上記第１誘電体層２１５は、前面誘電体層となり、上記第２誘電体層２２５は、背面誘電体層となりうる。
【００６１】
また、図７の遮断壁２８０が第１誘電体層２１５と同じ層に形成されるのに対して、図９に遮断壁２８０‘が第１誘電体層２１５及び保護層２１６と同じ層に形成された実施形態を示す。同じ機能を行う同じ構成要素に対しては類似した参照番号を使用し、それらについての詳細な説明は省略する。
【００６２】
本実施形態は、図２〜図５に示すＰＤＰにおいて、上記遮断壁２８０がそれぞれの放電セル単位で形成される実施形態であって、同じ機能を行う同じ構成要素に対しては類似した参照番号を使用し、それらについての詳細な説明は省略する。
【００６３】
ただし、本実施形態に係るＰＤＰは、図６〜図９に示すように、それぞれの放電セル単位で遮断壁２８０を配置して、本発明の隣接セルの間の発光干渉の防止をさらに充実させて行うことができる。
【００６４】
以上、添付図面を参照しながら本発明の好適な実施形態について説明したが、本発明はかかる例に限定されない。当業者であれば、特許請求の範囲に記載された技術的思想の範疇内において、各種の変更例または修正例に想到し得ることは明らかであり、それらについても当然に本発明の技術的範囲に属するものと了解される。
【産業上の利用可能性】
【００６５】
本発明は、プラズマディスプレイパネルに適用することができる。
【図面の簡単な説明】
【００６６】
【図１】一般的なＰＤＰの分離斜視図である。
【図２】本発明の第１実施形態にかかるＰＤＰの概略を示す分離斜視図である。
【図３】図２のＰＤＰにおいて、ＩＩＩ−ＩＩＩ線による断面図である。
【図４】図２のＰＤＰにおいて、第２基板上に維持電極対及び遮断壁が配置されることを概略的に示す図面である。
【図５】図３のＰＤＰにおいて、遮断壁が第１誘電体層及び保護層と同じ層に形成されることを示す図面である。
【図６】本発明の第２実施形態にかかるＰＤＰの概略を示す分離斜視図である。
【図７】図６のＰＤＰにおいて、ＶＩ−ＶＩ線による断面図である。
【図８】図６のＰＤＰにおいて、第２基板上に維持電極対及び遮断壁が配置されることを概略的に示す図面である。
【図９】図７のＰＤＰにおいて、遮断壁が第１誘電体層及び保護層と同じ層に形成されることを示す図面である。
【符号の説明】
【００６７】
１００      ＰＤＰ
１１１      第１基板
１１５      第１誘電体層
１１６      保護層
１２１      第２基板
１２２      アドレス電極
１２５      第２誘電体層
１３０      隔壁
１３１、１３２  維持電極
１７０（１７０Ｒ、１７０Ｇ、１７０Ｂ）  放電セル
１８０、２８０、１８０‘、２８０’  遮断壁
【図１】
2007184266.tif 000003
【図２】
2007184266.tif 000004
【図３】
2007184266.tif 000005
【図４】
2007184266.tif 000006
【図５】
2007184266.tif 000007
【図６】
2007184266.tif 000008
【図７】
2007184266.tif 000009
【図８】
2007184266.tif 000010
【図９】
2007184266.tif 000011